(57)【要約】【課題】イオン活性成分を皮下組織内に経皮的に送達するための携帯型イオン導入デバイス(1)を提供する。【解決手段】ユーザの皮膚上に当てられる少なくとも1つの導電性パッチ(10)と、フレーム(22)、ユーザの皮膚上に当てられる少なくとも1つの電極(30)、電力を供給するための電力源(40)、およびデバイスを制御するためのコントローラ(50)を有する、デバイス本体(20)と、を備え、導電性パッチ(10)が、デバイス本体(20)内のコントローラ(50)に、電気ワイヤ(60)を介して電気的に接続され、導電性パッチ(10)が一方の電極に帯電され、電極(30)が導電性パッチ(10)とは反対の極性に帯電され、導電性パッチ(10)および電極(30)が、ユーザの皮膚上の互いに異なる部分上に当てられる。【選択図】図3
2018042886.tif 000002
【特許請求の範囲】
【請求項１】
イオン活性成分を皮下組織内に経皮的に送達するための携帯型イオン導入デバイス(1)であって、
ユーザの皮膚上に当てられる少なくとも1つの導電性パッチ(10)と、
フレーム(22)、前記ユーザの皮膚上に当てられる少なくとも1つの電極(30)、電力を供給するための電力源(40)、および前記デバイスを制御するためのコントローラ(50)を有する、デバイス本体(20)と、
を備え、
前記導電性パッチ(10)が、前記デバイス本体(20)内の前記コントローラ(50)に、電気ワイヤ(60)を介して電気的に接続され、
前記導電性パッチ(10)が一方の電極に帯電され、前記電極(30)が前記導電性パッチ(10)とは反対の極性に帯電され、
前記導電性パッチ(10)および前記電極(30)が、前記ユーザの皮膚上の互いに異なる部分上に当てられる、
携帯型イオン導入デバイス(1)。
【請求項２】
前記導電性パッチ(10)が前記ユーザの顔面皮膚上に当てられ、前記電極(30)が前記ユーザの前記顔面皮膚以外の身体皮膚上に当てられる、請求項1に記載の携帯型イオン導入デバイス(1)。
【請求項３】
前記導電性パッチ(10)が、イオン活性成分が事前に含まれている層(15)を備える、請求項1または2に記載の携帯型イオン導入デバイス(1)。
【請求項４】
前記導電性パッチ(10)が負の極性に帯電され、前記電極(30)が正の極性に帯電される、請求項1から3のいずれか一項に記載の携帯型イオン導入デバイス(1)。
【請求項５】
前記導電性パッチ(10)が正の極性に帯電され、前記電極(30)が負の極性に帯電される、請求項1から3のいずれか一項に記載の携帯型イオン導入デバイス(1)。
【請求項６】
前記導電性パッチ(10)および前記電極(30)の極性が、互いに選択的に置き換えられることが可能である、請求項1から3のいずれか一項に記載の携帯型イオン導入デバイス(1)。
【請求項７】
前記導電性パッチ(10)が粘着層(13)を備え、これにより、前記導電性パッチ(10)が前記ユーザの皮膚上に単独で維持されることが可能である、請求項1から6のいずれか一項に記載の携帯型イオン導入デバイス(1)。
【請求項８】
前記導電性パッチ(10)が、前記ユーザの皮膚上に前記導電性パッチ(10)を維持するための固定用構成を備える、請求項1から6のいずれか一項に記載の携帯型イオン導入デバイス(1)。
【請求項９】
前記フレーム(22)が弾性部を備え、前記電極(30)が、前記ユーザの皮膚に押し付けられて接触を維持するように、前記フレーム上に配置される、請求項1から8のいずれか一項に記載の携帯型イオン導入デバイス(1)。
【請求項１０】
前記電極(30)が前記ユーザの身体皮膚に押し付けられるように、前記フレーム(22)が実質的にU字形を有し、前記ユーザの首または肩に置かれる、請求項9に記載の携帯型イオン導入デバイス(1)。
【請求項１１】
前記導電性パッチ(10)が、前記電気ワイヤ(60)上に設けられた相手側コネクタに取り外し可能に接続されるコネクタを備える、請求項1から10のいずれか一項に記載の携帯型イオン導入デバイス(1)。
【発明の詳細な説明】
【技術分野】
【０００１】
本発明は、イオン導入デバイスに関し、詳細には、本発明は、美容活性成分をユーザの顔面の皮下組織内に送達するための携帯型イオン導入デバイスに関する。
【背景技術】
【０００２】
イオン導入療法は、皮膚に対して電流を印加することによってイオン活性成分を皮下組織内に経皮的に浸透させるための方法であり、活性成分を組織に効果的に送達するための医療美容療法(medical and cosmetic therapy)として知られている。図1に見ることのできる多くのイオン導入デバイスも、従来技術でよく知られている。
【０００３】
特許文献１は、皮膚下または脈管内に薬剤(medical agent)および/または美容剤(cosmetic agent)を送達するための携帯型イオン導入デバイスを開示している。このデバイスは、携帯型ユニット本体および2つの電極を備え、電極の一方が身体のターゲット側に固定され、他方の電極が身体の逆側に固定される。
【０００４】
特許文献２は、皮膚内に活性成分を送達するためのイオン導入デバイスについて開示している。このデバイスは、手持ち式本体を備え、手持ち式本体には、イオン導入電極およびリターン電極板が備わっている。イオン導入電極およびリターン電極板は、手持ち式本体上に互いに反対側に配置され、ユーザが、リターン電極板にユーザの手を接触させるように手持ち式本体を把持することによって、イオン導入電極を所望の部分上に当てる。
【０００５】
従来技術によるイオン導入デバイスは、主として医療用であるので、美容用途の点でいくつかの欠点がある。欠点の1つは、2つの電極の一方がリターン電極として働かなければならないので、1つの電極しかイオン活性成分を送達することができないということである。イオン活性成分が身体の対称部分、たとえば顔面の対称部分に同時に送達されることが意図されるとき、この欠点がデバイスの有用性を損ねている。
【先行技術文献】
【特許文献】
【０００６】
【特許文献１】国際公開第2005/035051号パンフレット
【特許文献２】国際公開第2013/118114号パンフレット
【発明の概要】
【発明が解決しようとする課題】
【０００７】
従来技術のデバイスによる上述の短所および/または他の短所を改善すること、ならびに有用性の改善された、美容用途に適したイオン導入デバイスを提供することが、本発明の目的である。
【課題を解決するための手段】
【０００８】
一態様によれば、本発明は、イオン活性成分を皮下組織内に経皮的に送達するための携帯型イオン導入デバイスであって、
ユーザの皮膚上に当てられる少なくとも1つの導電性パッチと、
フレーム、ユーザの皮膚上に当てられる少なくとも1つの電極、電力を供給するための電力源、およびデバイスを制御するためのコントローラを有する、デバイス本体と、
を備え、
導電性パッチが、デバイス本体内のコントローラに、電気ワイヤを介して電気的に接続され、
導電性パッチが、一方の電極に帯電され、電極が、導電性パッチとは反対の極性に帯電され、
導電性パッチおよび電極が、ユーザの皮膚上の互いに異なる部分上に当てられる、
携帯型イオン導入デバイスを提供する。
【０００９】
限定されないが、送達されるイオン活性成分は、アスコルビン酸誘導体、コウジ酸、アルブチン、およびトラネキサム酸などのホワイトニング成分、アミノ酸、植物抽出物、ビタミン、およびプロビタミンなどの栄養成分、ならびにセラミドやヒアルロン酸などの保湿成分である。
【００１０】
導電性パッチはユーザの顔面皮膚上に当てられ得、電極はユーザの顔面皮膚以外の身体皮膚上に当てられ、導電性パッチは、イオン活性成分が事前に含まれている層を備えてよい。
【００１１】
導電性パッチは負の極性に帯電されてよく、電極は正の極性に帯電される。または、導電性パッチは正の極性に帯電されてよく、電極は負の極性に帯電される。さらに、導電性パッチおよび電極の極性は、互いに選択的に置き換えられ得る。
【００１２】
本発明による携帯型イオン導入デバイスでは、導電性パッチは、ユーザの皮膚上に導電性パッチが単独で維持され得るように、粘着層を備えてよい。または、導電性パッチは、ユーザの皮膚上に導電性パッチを維持するための固定用構成(fixing arrangement)を備えてもよい。
【００１３】
本発明では、フレームは弾性部を備えてよく、電極が、ユーザの皮膚に押し付けられて接触を維持するように、フレーム上に配置される。電極がユーザの身体皮膚に押し付けられるように、フレームは実質的にU字形を有し、ユーザの首または肩に置かれてよい。さらに、導電性パッチは、電気ワイヤ上に設けられた相手側コネクタに取り外し可能に接続されるコネクタを備えてよい。
【００１４】
本発明は、その非限定的な実施形態についての以下の説明を読めば、また添付の図面を検討すれば、よりよく理解され得る。
【図面の簡単な説明】
【００１５】
【図１】従来技術による携帯型イオン導入デバイスを示した図である。
【図２】本発明による携帯型イオン導入デバイスを示した図である。
【図３】使用中の本発明による携帯型イオン導入デバイスを示した図である。
【図４】本発明による携帯型イオン導入デバイスのデバイス本体を示した図である。
【図５】導電性パッチの拡大断面図である。
【発明を実施するための形態】
【００１６】
以下では、本発明の一実施形態について、図面を参照して詳細に説明する。図2は、本発明による携帯型イオン導入デバイス1の一実施形態を示す。携帯型イオン導入デバイス1は、少なくとも1つの導電性パッチ10と、デバイス本体20とを備え、デバイス本体20は、フレーム22、少なくとも1つの電極30、電力源40、およびコントローラ50を備える。導電性パッチ10は、デバイス本体20とは独立して設けられ、デバイス本体20内のコントローラ50に、電気ワイヤ60を介して電気的に接続される。
【００１７】
導電性パッチ10は、イオン活性成分の浸透を高めるための構成要素であり、特に、図3に示すように、ユーザの顔面皮膚上に当てられることが意図される。本実施形態では、図2および図3に示すように、イオン導入デバイス上に2つの導電性パッチ10が設けられているが、1つ、または3つ以上の導電性パッチ10が設けられ得る。
【００１８】
図5を参照すると、導電性パッチ10の断面図が示されている。導電性パッチ10は、保護層11、電気接点12、導電性シート14、粘着層13、およびイオン活性成分リザーバ15からなる。
【００１９】
保護層11は、たとえば織布もしくは不織布、ポリマー、または同様のもので作られた、平坦な可撓性の生体適合性材であり、使用の際に最も外側に配置される。イオン活性成分リザーバ15は、イオン活性成分をその中に含んでおり、たとえば、発泡体または不織シートで形成される。イオン活性成分リザーバ15は、使用の際に最も内側に配置され、その下面が皮膚と接触する。
【００２０】
導電性シート14は、保護層11とイオン活性成分リザーバ15との間に配置され、導電性材料シート、たとえば炭素、金属材料などで作られる。導電性シート14は、イオン活性成分に電力を供給するために、イオン活性成分リザーバ15の領域全体を覆うべきである。
【００２１】
導電性シート14には、導電性シート14を介してイオン活性成分リザーバ15に電力を伝えるための電気接点12が設けられる。使用の際、導電性シート14は、イオン活性成分リザーバ15内に含まれたイオン活性成分と同じ極性である、負または正の極性に帯電される。電気接点12は、ワイヤ60上に設けられた相手コネクタ(図示略)と取り外し可能に接続されるコネクタとして、構成されてよい。
【００２２】
粘着層13は、保護層11に隣接して配置され、イオン活性成分リザーバ15および導電性シート13を取り囲む。粘着層13は、イオン活性成分リザーバ15をユーザの皮膚と接触させて維持するように働く。本実施形態では、イオン活性成分リザーバ15をユーザの皮膚と接触して維持するために、粘着層13が設けられているが、粘着層13の代わりにストラップやフックなどの固定用構成が使用されてもよい。
【００２３】
図4を参照すると、デバイス本体20が示されている。デバイス本体20は、フレーム22、少なくとも1つの電極30、電力源40、およびコントローラ50を備える。フレーム22は、電力源40を収容してもよく、コントローラ50と一体に形成されてよい。本実施形態では、フレーム22上に2つの電極30が設けられているが、1つ、または3つ以上の電極30が設けられ得る。電極30は、ユーザの皮膚と接触するように、フレーム22の表面上に設けられてよい。電極30は、導電性シート14、すなわち導電性パッチ10の極性とは反対の極性に帯電されてよい。
【００２４】
フレーム22の一部または全体は、弾性材料、たとえばプラスチック、ゴム、金属材料などで作られ得る。デバイス本体20は、本実施形態では、ユーザの首または肩に装着することが意図されるので、フレーム22は、デバイス本体20を保持するための弾性(圧縮)力を生じるように、実質的にU字形を有する。電極30は、フレーム22によって生じた弾性力によって皮膚に押し付けられ、その結果、皮膚と密着して接触する。フレーム22が金属材料で作られる場合、電極30の機能は、フレーム22に統合され得る。フレーム22が金属材料で作られる場合、フレームは、たとえばシリコーンカバーで全体的に覆われてよく、電極30を構成する部分のみが、カバーから外側に露出され得る。
【００２５】
コントローラ50は、イオン導入デバイス1の動作を制御するために設けられる。コントローラ50は、本実施形態ではフレーム22と統合されているが、フレーム22とは別に設けられてもよい。導電性パッチ10がコントローラ50と、ワイヤ60を介して電気的に接続される。ワイヤ60は、コネクタ(図示略)など、適切な構成によって、コントローラ50と取り外し可能に接続されてよい。コントローラ50は、導電性パッチ10および電極30の極性が互いに選択的に置き換えられ得るように、構成されてよい。電力源40は、本実施形態ではDCバッテリであるが、AC電力源が電力源40として使用されてもよい。
【００２６】
次に、本発明による携帯型イオン導入デバイス1の動作について説明する。導電性パッチ10がユーザの顔面皮膚上に、粘着層13の粘着力によって当てられ、デバイス本体20がユーザの首に、フレーム22の弾性(圧縮)力によって装着され、その結果、電極30が首の皮膚と密着して接触するようになる(図3)。
【００２７】
電源がオンになると、導電性パッチ10およびデバイス本体20に電力が供給される。次いで、導電性パッチ10内の導電性シート14が、皮膚内に送達されるイオン活性成分の極性に応じて負または正の極性に帯電され、一方、電極30が、導電性パッチ10とは反対の極性に帯電される。
【００２８】
導電性パッチ10がイオン活性成分の極性と同じ極性に帯電されるので、導電性シート14とイオン活性成分との間に反発力が生じ、それが、イオン活性成分の皮下組織内への浸透を高める。
【００２９】
導電性パッチ10は、本実施形態では、皮下組織内に送達されるイオン活性成分をその中に含めたイオン活性成分リザーバ15を備えているが、導電性パッチは、イオン活性成分リザーバを備えていなくてもよい。その場合、イオン活性成分を含有する液体またはゲルが皮膚上に当てられ、電極としてのみ働く導電性パッチがその上に当てられる。
【符号の説明】
【００３０】
1  携帯型イオン導入デバイス
10  導電性パッチ
11  保護層
12  電気接点
13  粘着層
14  導電性シート
15  イオン活性成分リザーバ層
20  デバイス本体
22  フレーム
30  電極
40  電力源
50  コントローラ
60  電気ワイヤ
【図１】
2018042886.tif 000003
【図２】
2018042886.tif 000004
【図３】
2018042886.tif 000005
【図４】
2018042886.tif 000006
【図５】
2018042886.tif 000007
【外国語明細書】
2018042886000001.pdf